(57)【要約】【課題】  薄型化を図るとともに、プラグが安定した状態で嵌合されるとともに嵌合状態が確実に保持されるようにする。【解決手段】  コネクタブロック体２を内部に収納したシールドケース３に、コネクタブロック体２と対向しない両側の非対向部位１４に位置してプラグ嵌合部１１内への突出習性を付与されたプラグロック片２０を有する一対のプラグロック部１８を一体に形成し、これらプラグロック部１８によりプラグ嵌合部１１内においてプラグ５をロックする。【選択図】  図５
0003126046.tif 000002
【実用新案登録請求の範囲】
【請求項１】
絶縁樹脂材により成形され、内部に多数のコネクタピンを互いの絶縁を保持して平行状態に保持して設けたプラグ嵌合空間部を形成したコネクタブロック体と、
金属薄板材により前記コネクタブロック体の全体を覆う筒状若しくは前記コネクタブロック体の天井部位と両側面部位とを覆う半筒状に形成され、前記コネクタブロック体を、前記コネクタピンの両端部をそれぞれ両側開口部に臨ませかつ一方開口部を前記プラグ嵌合空間部と連通されるプラグ嵌合開口部として構成して内部に収納するシールドケースとを備え、
前記シールドケースには、天井部の前記コネクタブロック体との非対向領域に対応する両側位置に、それぞれ軸線方向の切り残し舌片部を構成する略コ字状の切欠きを形成し、前記各舌片部の先端部を折曲してプラグ嵌合空間部内に突出させることにより形成した一対のプラグロック片を有するプラグロック部が一体に形成されることを特徴とするレセプタクルコネクタ。
【請求項２】
前記シールドケースには、前記コネクタブロック体と対向する前記天井部に軸線方向の切り残し舌片部を構成する略コ字状の切欠きを形成し、前記各舌片部の先端部を折曲してプラグ嵌合空間部内に突出させたプラグ接続片を有するプラグ接続部が形成されることを特徴とする請求項１記載のレセプタクルコネクタ。
【請求項３】
前記プラグロック部を構成する前記各プラグロック片の先端部が、前記プラグ接続部を構成する前記プラグ接続片の先端部に対して、前記プラグ嵌合開口部よりも他方開口部側に位置して形成されることを特徴とする請求項２記載のレセプタクルコネクタ。
【考案の詳細な説明】
【技術分野】
【０００１】
本考案は、多数のコネクタピンを保持したコネクタブロック体を例えば略矩形筒状に形成されたシールドケース内に収納して構成され、プラグを嵌合して電子機器間の電気的接続を行うレセプタクルコネクタに関する。
【背景技術】
【０００２】
レセプタクルコネクタは、各種の電子機器に用いられ、当該電子機器と他の電子機器とを接続して制御信号やデータ等の授受或いは電源の供給等が行われるようにする。従来のレセプタクルコネクタ１００は、図６に示すように、コネクタブロック体１０１と、このコネクタブロック体１０１を収納するシールドケース１０２を備え、例えば電子機器の配線基板等に実装される。
【０００３】
レセプタクルコネクタ１００は、コネクタブロック体１０１が、絶縁樹脂材により内部にプラグ嵌合部１０３を貫通して形成した略矩形ブロック状に形成される。レセプタクルコネクタ１００は、コネクタブロック体１０１に、多数のコネクタピン１０４が組み付けられる。レセプタクルコネクタ１００は、各コネクタピン１０４が、コネクタブロック体１０１のプラグ嵌合部１０３の上下内壁部に互いの絶縁を保持されて軸線方向と平行状態に保持して組み付けられる。
【０００４】
レセプタクルコネクタ１００は、シールドケース１０２が、金属薄板材によりコネクタブロック体１０１の外形とほぼ同等の内部空間を有する全体略筒状に形成される。レセプタクルコネクタ１００は、シールドケース１０２の内部空間に、その両側開口部からプラグ嵌合部１０３を外方に臨ませるようにしてコネクタブロック体１０１を収納する。レセプタクルコネクタ１００は、シールドケース１０２に対してコネクタブロック体１０１が各コネクタピン１０４をそれぞれの両端部を両側開口部に臨ませて内部に収納する。レセプタクルコネクタ１００は、シールドケース１０２の一方開口部が図示しないプラグが嵌合されるプラグ嵌合開口部１０５を構成する。
【０００５】
レセプタクルコネクタ１００には、プラグ嵌合開口部１０５からプラグ嵌合部１０３内にプラグが嵌合され、このプラグ側の端子と相対するコネクタピン１０４とが接続されて電子機器間の電気的接続を行う。レセプタクルコネクタ１００には、プラグ嵌合部１０３に嵌合されたプラグの嵌合状態を保持するプラグロック機構が設けられている。プラグロック機構は、詳細を省略するがシールドケース１０２の天井部に長さ方向の略中央部に位置して略コ字状の切欠きを形成し、この切欠きにより切り残された舌片部の先端部をプラグ嵌合空間部１０５内に突出するように折曲して形成したロック片１０６からなる。
【０００６】
レセプタクルコネクタ１００は、プラグ嵌合開口部１０５からプラグ嵌合部１０３内にプラグが嵌合されると、このプラグに形成したロック溝にプラグロック機構のロック片１０６が係合することにより嵌合状態を保持する。レセプタクルコネクタ１００は、プラグロック機構によりプラグ側の端子とコネクタピン１０４との接続状態が保持されるようにする。
【０００７】
例えば、特許文献１には、シェル（シールドケース）の両側面に、プラグコネクタが嵌合したときにそのロック部と係合する孔が形成された舌片状のロック受け部をそれぞれ一体に形成したレセプタクルコネクタが開示されている。また、特許文献２には、複数のコンタクトと、これらコンタクトが保持・固定されるとともにプラグが嵌合される嵌合部を有するハウジングと、このハウジングを覆う２つのシェルを備え、一方のシェルの長手方
向のほぼ中央部に位置してＬ字状の係合部を形成し、この係合部が嵌合部に嵌合されたプラグに係合される電気コネクタが開示されている。
【特許文献１】特開平１１−１１１３８９号公報
【特許文献２】特開２００５−２４３４７１号公報
【考案の開示】
【考案が解決しようとする課題】
【０００８】
従来のレセプタクルコネクタ１００においては、上述したようにシールドケース１０２の天井部に長さ方向の略中央部に位置してプラグロック機構を構成するロック片１０６が形成される。レセプタクルコネクタ１００においては、ロック片１０６がプラグ嵌合部１０３内にプラグが嵌合されるとその天井部に乗り上がって係合溝に係合することから、厚み方向に対してロック片１０６の可動スペースを確保する必要がある。レセプタクルコネクタ１００においては、薄型化を図る場合にロック片１０６の可動スペースを確保することが困難となるため、プラグ嵌合部１０３内において嵌合されたプラグが強固にロックされないといった問題があった。
【０００９】
レセプタクルコネクタ１００においては、例えば長手方向に幅広としたロック片１０６を形成する対応も図られるが、ロック片１０６を高精度に形成することが困難となる。また、かかる対応は、プラグ側にも大型化したロック片１０６が係合する大開口の係合溝が形成され、機械的強度の低下や塵埃等の侵入によるコンタクトの接触不良といった問題を生じさせる。なお、特許文献２に開示された電気コネクタも、ロック片を長手方向の略中央部に形成することから上述したレセプタクルコネクタ１００と同様の問題が生じる。
【００１０】
特許文献１に開示されたレセプタクルコネクタにおいては、シェルの両側面にロック受け部をそれぞれ一体に形成した構造であり、一応薄型化の対応も可能ではある。しかしながら、レセプタクルコネクタにおいては、薄型化により大型のロック受け部を形成することが困難となり結局強固なロック構造を構成し得ないといった問題がある。また、レセプタクルコネクタにおいては、多ピン化に伴って長手方向の寸法が大きくなることにより、嵌合するプラグが不安定な姿勢となり嵌合操作時にコネクタピンの引掛り等の問題が生じることがある。
【００１１】
したがって、本考案は、薄型化を図るとともに、プラグが安定した状態で嵌合されるとともに嵌合状態が確実に保持されるようにするレセプタクルコネクタを提供することを目的に提案されたものである。
【課題を解決するための手段】
【００１２】
上述した目的を達成する本考案にかかるレセプタクルコネクタは、絶縁樹脂材により成形したコネクタブロック体と、金属薄板材により形成したシールドケースとを備える。レセプタクルコネクタは、コネクタブロック体が、内部に多数のコネクタピンを互いの絶縁を保持して平行状態に保持して設けたプラグ嵌合空間部を形成する。レセプタクルコネクタは、シールドケースが、コネクタブロック体の全体を覆う筒状若しくはコネクタブロック体の天井部位と両側面部位とを覆う半筒状に形成され、内部にコネクタブロック体を収納する。レセプタクルコネクタは、シールドケースが、コネクタピンの両端部をそれぞれ両側開口部に臨ませかつ一方開口部をプラグ嵌合空間部と連通されるプラグ嵌合開口部として構成してコネクタブロック体を内部に収納する。レセプタクルコネクタは、シールドケースの天井部に、コネクタブロック体との非対向領域に対向する両側位置にそれぞれ軸線方向の切り残し舌片部を構成する略コ字状の切欠きを形成し、各舌片部の先端部を折曲してプラグ嵌合空間部内に突出されるプラグロック片を有する一対のプラグロック部が一体に形成される。
【００１３】
また、レセプタクルコネクタは、シールドケースのコネクタブロック体と対向する天井部に、軸線方向の切り残し舌片部を構成する略コ字状の切欠きを形成し、各舌片部の先端部を折曲してプラグ嵌合空間部内に突出させたプラグ接続片を有するプラグ接続部を形成する。さらに、レセプタクルコネクタは、プラグロック部を構成する各プラグロック片の先端部が、プラグ接続部を構成するプラグ接続片の先端部に対して、プラグ嵌合開口部よりも他方開口部側に位置して形成される。
【００１４】
以上のように構成されるレセプタクルコネクタにおいては、コネクタブロック体と対向しない両側に位置してシールドケースに一対のプラグロック片部を一体に形成した構造であることから、これらプラグロック片部のプラグ嵌合空間部内にプラグの嵌合操作をされる際に厚み方向に対して弾性変位する充分な可動スペースが確保される。したがって、レセプタクルコネクタにおいては、薄型化を図ってもプラグロック部がプラグ嵌合空間部内に嵌合されるプラグの嵌合状態を確実に保持して電子機器間を電気的に接続する。また、レセプタクルコネクタにおいては、中央部を挟む両側位置においてプラグロック部によりプラグの嵌合状態を保持することから、プラグの嵌合姿勢を安定した状態で保持する。
【００１５】
レセプタクルコネクタにおいては、プラグ接続部のプラグ接続片がプラグ嵌合空間部内に嵌合されるプラグと接触することにより、例えばこのプラグに帯電した静電気を除電して電子部品等に過大な電流が流れて生じる静電破壊等の発生を防止する。レセプタクルコネクタにおいては、プラグ接続片がコネクタピンとプラグ側の端子との接触に先行して接触することによりプラグの静電気を除電し、電子部品等の静電破壊等の発生がより確実に防止されるようにする。
【考案の効果】
【００１６】
以上のように構成された本考案にかかるレセプタクルコネクタによれば、コネクタブロック体を内部に収納したシールドケースに、コネクタブロック体と対向しない両側に位置して一対のプラグロック部を一体に形成した構造であることから各プラグロック部が厚み方向に弾性変位する充分な可動スペースを確保され、薄型化を図りながらプラグ嵌合空間部内において嵌合されたプラグを確実に保持することが可能であるとともに嵌合姿勢を安定した状態で保持し、信頼性の向上が図られる。
【考案を実施するための最良の形態】
【００１７】
以下、本考案の実施の形態として示すレセプタクルコネクタ１について図面を参照して詳細に説明する。レセプタクルコネクタ１は、基本的な構成を上述した従来のレセプタクルコネクタ１００と同様とし、図１乃至図３に示すように、コネクタブロック体２と、このコネクタブロック体２を収納するシールドケース３を備え、電子機器の配線基板４に実装される。レセプタクルコネクタ１には、図４及び図５に示すように他の電子機器等と接続されたプラグ５が嵌合されることにより、電子機器間を電気的に接続する。
【００１８】
レセプタクルコネクタ１は、コネクタブロック体２が、絶縁樹脂材を素材として図１乃至図３に示すように横長矩形のブロック状に形成された基部６と、この基部６の一方側面に一体に突設された水平方向のコネクタピン保持壁部７とから構成される。コネクタブロック体２は、コネクタピン保持壁部７が、基部６の上面から所定の高さ位置に段落ちされて突設されるとともに、その横幅（長手方向の幅）が、基部６の横幅よりも小幅とされて形成される。
【００１９】
コネクタブロック体２には、基部６の底面に、図１に示すように長手方向に離間して一対の位置決め凸部８が一体に突設され、これら位置決め凸部８を配線基板４に形成した相対する位置決め孔に嵌合することによりレセプタクルコネクタ１が配線基板４に位置決めされて組み付けられるようにする。コネクタブロック体２には、例えばインサート成形法
により、多数本のコネクタピン９が一体化されて設けられている。
【００２０】
各コネクタピン９は、コネクタブロック体２のコネクタピン保持壁部７に、互いに軸線方向に平行な状態でありかつ相互の絶縁を保持して長さ方向に並べた状態で埋設されることにより一体化される。各コネクタピン９は、それぞれの底面側がコネクタピン保持壁部７から露出されることにより、プラグ５側との接触部を構成する。各コネクタピン９は、基端側がコネクタブロック体２の基部６を厚み方向に貫通されるとともに、この基部６の側面に沿って略Ｌ字状に折曲されることにより接続端子部１０を構成する。各コネクタピン９は、レセプタクルコネクタ１を配線基板４に実装した状態で、各接続端子部１０が配線基板４に相対して形成した端子パターンと半田付けされる。
【００２１】
レセプタクルコネクタ１も、シールドケース３が、金属薄板材を素材として上述したコネクタブロック体２の全体を覆うようにして内部に収納する全体略矩形の半筒状に形成される。シールドケース３は、コネクタブロック体２の基部６の断面寸法とほぼ同等の開口寸法を有する半筒状に形成される。なお、シールドケース３は、半矩形筒状の形状に限定されず、例えばコネクタブロック体２の基部６の断面形状とほぼ同形の矩形筒状に形成するようにしてもよい。
【００２２】
シールドケース３は、図１及び図３に示すようにコネクタブロック体２のコネクタピン保持壁部７の軸長よりも大きな軸長の内部空間を有し、この内部空間が後述するようにプラグ５が嵌合されるプラグ嵌合空間部１１を構成する。シールドケース３は、その一方開口部が、プラグ嵌合開口部１２を構成してプラグ嵌合空間部１１内にプラグ５が嵌合されるようにする。シールドケース３は、図２に示すようにプラグ嵌合開口部１２を介してコネクタ保持壁部７に一体化した各コネクタピン９の先端部を外方に臨ませるようにする。
【００２３】
シールドケース３は、その他方開口部が基部６により閉塞されるようにして上述したコネクタブロック体２をプラグ嵌合空間部１１内に収納する。シールドケース３は、この開口部から各コネクタピン９の接続端子部１０をそれぞれ外方へと突出させることにより、この開口部をコネクタピン突出開口部１３として構成する。
【００２４】
シールドケース３は、上述したようにコネクタブロック体２が基部６に対してコネクタピン保持壁部７を小幅に形成したことにより、このコネクタブロック体２をプラグ嵌合空間部１１内に収納した状態において図２に示すようにコネクタピン保持壁部７の両側縁部に沿ってコネクタブロック体２との非対向部位１４Ａ、１４Ｂ（以下、個別に説明する場合を除いて非対向部位１４と総称する。）を構成する。また、シールドケース３は、上述したようにコンタクトブロック体２が基部６の側面に天井面から段落ちした状態でコネクタ保持壁部７を一体に形成したことから、コンタクトブロック体２をプラグ嵌合空間部１１内に収納した状態において図３に示すように天井部１６とコネクタ保持壁部７との間に軸方向の水平なプラグガイド空間部１５を構成する。
【００２５】
シールドケース３には、図１に示すようにコネクタピン突出開口部１３の開口縁に複数の舌片状のかしめ凸片１７が一体に形成される。シールドケース３は、プラグ嵌合空間部１１内にコネクタブロック体２を収納した状態において、各かしめ凸片１７を内方へと折曲することにより、プラグ嵌合空間部１１内にコネクタブロック体２をかしめ付けて固定する。
【００２６】
シールドケース３には、天井部１６の上述した非対向部位１４と対向する位置に、長手方向に離間してプラグ嵌合空間部１１内に嵌合されたプラグ５をロック状態に保持する一対のプラグロック部１８Ａ、１８Ｂ（以下、個別に説明する場合を除いてプラグロック部１８と総称する。）が一体に形成される。プラグロック部１８は、図１及び図３に示すよ
うに天井部１６に、プラグ嵌合開口部１２側からコネクタピン突出開口部１３側に向かう向きの略コ字状の切欠き１９Ａ、１９Ｂ（以下、個別に説明する場合を除いて切欠き１９と総称する。）を形成し、この切欠き１９によってコネクタピン突出開口部１３側を基端とする軸線方向の切り残し舌片部からなる一対のプラグロック片２０Ａ、２０Ｂ（以下、個別に説明する場合を除いてプラグロック片２０と総称する。）を構成する。
【００２７】
プラグロック部１８は、プラグロック片２０が図１及び図３に示すようにその先端部位を上述したプラグガイド空間部１５のコネクタブロック体２が存在しない非対向部位１４内に突出するように略へ字状に折曲することにより、ロック凸部２１Ａ、２１Ｂ（以下、個別に説明する場合を除いてロック凸部２１と総称する。）を形成する。プラグロック部１８は、シールドケース３の天井部１６のコネクタブロック体２と対向しない非対向部位１４に対応位置して形成されることから、大きな曲げ量のロック凸部２１を形成することが可能である。プラグロック部１８は、後述するようにプラグ嵌合空間部１１内に嵌合されたプラグ５にロック凸部２１が係合することにより、プラグ５を保持する。
【００２８】
シールドケース３には、天井部１６に、上述したプラグロック部１８の内側に位置し、上述したコネクタブロック体２のコネクタピン保持壁部７と対向する部位に位置して一対のプラグ接続部２２Ａ、２２Ｂ（以下、個別に説明する場合を除いてプラグ接続部２２と総称する。）が形成される。プラグ接続部２２も、図１に示すように天井部１６に、プラグ嵌合開口部１２側からコネクタピン突出開口部１３側に向かう向きの略コ字状の切欠き２３Ａ、２３Ｂ（以下、個別に説明する場合を除いて切欠き２３と総称する。）を形成し、この切欠き２３によってコネクタピン突出開口部１３側を基端とする軸線方向の切り残し舌片部からなる一対のプラグ接続片２４Ａ、２４Ｂ（以下、個別に説明する場合を除いてプラグ接続片２４と総称する。）を構成する。
【００２９】
プラグ接続部２２は、図１に示すようにプラグ接続片２４の先端部が、プラグロック部１８のプラグロック片２０に対して、プラグ嵌合開口部１２側に先行した位置とされるようにしてシールドケース３の天井部１６に形成される。プラグ接続部２２は、プラグ接続片２４がプラグロック片２０に対して小幅に形成されるとともに、これらプラグ接続片２４がプラグ嵌合空間部１１のコネクタブロック体２が存在する領域に形成されるために曲げ量も小さく、プラグ５が軽微な力で接触されるようにする。プラグ接続部２２は、プラグ嵌合空間部１１内にプラグ５が嵌合される際に、このプラグ５に対してプラグロック片２０に先行して接触する。
【００３０】
以上のように構成されたレセプタクルコネクタ１は、上述したように位置決め凸部８を位置決め孔に嵌合して配線基板４上に搭載される。レセプタクルコネクタ１は、各コネクタピン９の接続端子部１０が配線基板４に形成された端子パターンと半田付けされる。レセプタクルコネクタ１には、プラグ嵌合開口部１２からプラグ嵌合空間部１１内にプラグ５が嵌合される。
【００３１】
プラグ５は、図４及び図５に示すように、ハウジング２５と、多数個の端子片２６と、シールドケース２７とを備えている。ハウジング２５は、絶縁樹脂材を素材として、上述したレセプタクルコネクタ１の外形よりも大型の矩形ブロック体からなるプラグ基部２８と、このプラグ基部２８から一体に突出形成された嵌合部２９とから構成される。ハウジング２５は、プラグ基部２８が、嵌合部２９を突出させる一方側面を嵌合側面３０として構成するとともに、この嵌合側面３０と対向する他方の側面を後述するように各端子片２６を突出させる出力面３１として構成する。プラグ５は、プラグ基部２８の出力面３１側において、図示しないケーブル等が接続される。
【００３２】
ハウジング２５は、嵌合部２９が、図５に示すようにレセプタクルコネクタ１のプラグ
嵌合空間部１１の断面寸法よりもやや小さな断面寸法とされるとともに、軸方向の長さ寸法が長軸とされた矩形筒部として形成される。嵌合部２９は、後述するようにその外周部を覆うようにしてシールドケース２７が組み付けられることから、断面寸法がプラグ嵌合空間部１１の断面寸法に対してシールドケース２７の厚み寸法とほぼ同等分小さく形成される。嵌合部２９は、その天井部３２に、プラグ５をレセプタクルコネクタ１に嵌合した状態で上述したシールドケース３の天井部１６と対向する部位が切り欠かれて端子ガイド開口部３３が形成されている。嵌合部２９は、後述するようにこの端子ガイド開口部３３から各端子片２６の接続部３４を外方へと臨ませる。
【００３３】
プラグ５には、例えばインサート成形法により、各端子片２６がハウジング２５のプラグ基部２８と嵌合部２９とを貫通して一体化されて設けられている。各端子片２６は、レセプタクルコネクタ１の各コネクタピン９とそれぞれ対をなし、プラグ５がレセプタクルコネクタ１に嵌合された状態で相対する各コネクタピン９とそれぞれ接続される。各端子片２６は、ハウジング２５内に、互いに軸線方向に平行な状態でありかつ相互の絶縁を保持して長さ方向に並べた状態で埋設されることにより一体化される。
【００３４】
各端子片２６は、図５に示すようにそれぞれプラグ基部２８の出力面３１から貫通される基端部３４が出力面３１に沿って上方へと折曲され、図示しないケーブル等とそれぞれ接続される。各端子片２６は、接触部３５が、その高さ寸法を嵌合部２９の内部空間の高さ寸法よりもやや小さく形成されることにより、内部空間に浮いた状態で保持される。各端子片２６は、プラグ基部２８の嵌合側面３０から嵌合部２９の内部空間を突出された先端部側がそれぞれ接触部３５として構成され、上述した端子ガイド開口部３３を介して外方へと臨ませられる。
【００３５】
各端子片２６は、プラグ５をレセプタクルコネクタ１に嵌合した状態で、図５に示すように接触部３５が端子ガイド開口部３３を介して相対するコネクタピン９と接触する。各端子片２６は、この状態で接触部３５がレセプタクルコネクタ１側のコンタクト保持壁部７により押圧されて高さ方向に弾性変位して弾性力を蓄勢し、この弾性力により接触部３５がコネクタピン９との接触状態を保持される。
【００３６】
プラグ５は、ハウジング２５の嵌合部２９がその外周部を全域に亘ってシールドケース２７により覆われる。シールドケース２７は、金属薄板材を素材として上述したようにレセプタクルコネクタ１のプラグ嵌合空間部１１の断面寸法とほぼ同等の開口寸法を有する矩形筒状に形成され、嵌合部２９の外周部に一体化されて設けられる。シールドケース２７は、詳細を省略するがその一部からプラグ基部２８を貫通してアース端子部３６が一体に形成されている。
【００３７】
シールドケース２７には、上述したレセプタクルコネクタ１のプラグロック部１８にそれぞれ対向して長さ方向に対向離間した軸方向の矩形切欠き溝からなる一対のロック溝３７Ａ、３７Ｂ（以下、個別に説明する場合を除いてロック溝３７と総称する。）が形成されている。また、シールドケース２７には、図示しないがロック溝３７の内側に位置して上述したレセプタクルコネクタ１のプラグ接続部２２に対向して長さ方向に対向離間した軸方向の矩形切欠き溝からなる一対の接続溝が形成されている。
【００３８】
以上のように構成されたプラグ５は、シールドケース２７を外装したハウジング２７の嵌合部２９を嵌合側として、この嵌合部２９をプラグ嵌合開口部１２に嵌合してプラグ嵌合空間部１１内に押し込むことにより図４及び図５に示すようにレセプタクルコネクタ１に結合される。プラグ５は、結合状態において、ハウジング２７のプラグ基部２８と嵌合部２９の基端側がレセプタクルコネクタ１から突出する。
【００３９】
レセプタクルコネクタ１は、プラグ５がプラグ嵌合空間部１１内に嵌合部２９を押込み操作されることにより、上述したようにシールドケース３とコンタクト保持壁部７との間に構成したプラグガイド空間部１５内にプラグ５側のシールドケース２７の天井部３２を嵌合させて押し込ませる。レセプタクルコネクタ１は、上述したようにプラグロック１８がプラグガイド空間部１５のコネクタブロック体２との非対向部位１４においてロック凸部２１を突出させるようにしてプラグロック片２０を形成したことから、プラグ５の押込み操作にしたがってロック凸部２１が天井部３２の上面へと乗り上がる。レセプタクルコネクタ１においては、これによりプラグロック片２０に弾性力が蓄勢されるようにする。
【００４０】
レセプタクルコネクタ１は、プラグ５の押込み操作にしたがってロック凸部２１がプラグ５側のシールドケース２７の天井部３２に形成したロック溝３７と対向する位置に達すると、プラグロック片２０に蓄勢した弾性力によりロック凸部２１がロック溝３７内に係合する。レセプタクルコネクタ１は、この状態で図５に示すように各コネクタピン９に相対する端子片２６が接触して、プラグ５との電気的接続が行われる。レセプタクルコネクタ１は、上述したようにプラグロック片２０のロック凸部２１とロック溝３７とが係合することにより、プラグ５との結合状態が保持される。
【００４１】
レセプタクルコネクタ１においては、上述したように長手方向の両側に位置してプラグ嵌合空間部１１内に大きな突出量を以って突出するロック凸部２１を有する一対のプラグロック片２０が形成される。レセプタクルコネクタ１においては、プラグ嵌合空間部１１内に押し込まれるプラグ５を、コネクタピン保持壁部７によりその中央部を支持するとともに一対のプラグロック部１８により両側を支持してスライドさせるようにする。
【００４２】
したがって、レセプタクルコネクタ１においては、プラグ５がプラグ嵌合空間部１１内において安定した姿勢で所定位置までスライド操作させるようにして、コネクタピン９や端子片２６のねじれ等の発生が防止されるようにする。レセプタクルコネクタ１においては、プラグ嵌合空間部１１内において一対のプラグロック部１８によりプラグ５を長さ方向の両側で安定した状態で保持することから、コネクタピン９と端子片２６との接続状態が確実に保持される。
【００４３】
レセプタクルコネクタ１においては、シールドケース３のコネクタブロック体２と対向しない非対向部位１４に位置してプラグロック部１８を設けたことにより、全体を薄型に構成した場合でもこのプラグロック部１８に大きな曲げ量のロック凸部２１が形成されるようにする。したがって、レセプタクルコネクタ１においては、薄型化を図りながらプラグロック部１８からプラグ５に対して大きなロック力を作用させ、プラグ嵌合空間部１１内に嵌合されたプラグ５を確実に保持することが可能であるとともに嵌合姿勢を安定した状態で保持し、信頼性の向上が図られる。
【００４４】
レセプタクルコネクタ１においては、上述したようにプラグロック部１８に対してプラグ嵌合開口部１２側に位置してプラグ接続部２２が形成される。レセプタクルコネクタ１においては、プラグロック部１８のロック凸部２１がプラグ５側のロック溝３７との係合に先行してプラグ接続部２２のプラグ接続片２４がプラグ５側の接続溝に係合される。レセプタクルコネクタ１においては、接続溝に係合されたプラグ接続片２４が、プラグ５側のシールドケース２７と適宜接触する。
【００４５】
したがって、レセプタクルコネクタ１及びプラグ５には、高圧の静電気が帯電していることがあり、コネクタピン９と端子片２６とが接続することにより配線基板４等の回路に流れて搭載した電子部品等を破壊させてしまうことがある。レセプタクルコネクタ１においては、上述したようにプラグロック部１８の係合動作に先行してプラグ接続部２２の係合動作が行われることで、帯電した高圧の静電気がシールドケース２７アース端子部３６
を介して除電されることで、電子部品等の破壊が防止される。
【００４６】
本考案は、上述した構造のレセプタクルコネクタ１に限定されないことは勿論である。レセプタクルコネクタ１は、プラグロック部１８の内側に位置してシールドケース３に一対のプラグ接続部２２を形成したが、例えば長さ方向の略中央部に位置して１個のプラグ接続部２２を形成するようにしてもよい。レセプタクルコネクタ１は、コネクタブロック体２やシールドケース３の形状或いはコネクタピン９が適宜に形成される。
【図面の簡単な説明】
【００４７】
【図１】本考案の実施の形態として示すレセプタクルコネクタの背面側からの斜視図である。
【図２】同レセプタクルコネクタの正面図である。
【図３】同レセプタクルコネクタの断面図である。
【図４】同レセプタクルコネクタにプラグを結合した状態の斜視図である。
【図５】同レセプタクルコネクタにプラグを結合した状態の断面図である。
【符号の説明】
【００４８】
１      レセプタクルコネクタ
２      コネクタブロック体
３      シールドケース
４      配線基板
５      プラグ
６      基部
７      コネクタピン保持壁部
８      位置決め凸部
９      コネクタピン
１０    接続端子部
１１    プラグ嵌合空間部
１２    プラグ嵌合開口部
１３    コネクタピン突出開口部
１４    非対向部位
１５    プラグガイド空間部
１６    天井部
１７    かしめ凸部
１８    プラグロック部
１９    切欠き
２０    プラグロック片
２１    ロック凸部
２２    プラグ接続片
２３    切欠き
２４    プラグ接続片
２５    ハウジング
２６    端子片
２７    シールドケース
２８    プラグ基部
２９    嵌合部
３０    嵌合側面
３１    出力面
３２    天井部
３３    端子ガイド開口部
３４    基端部
３５    接触部
３６    アース端子部
３７    ロック溝
【図１】
0003126046.tif 000003
【図２】
0003126046.tif 000004
【図３】
0003126046.tif 000005
【図４】
0003126046.tif 000006
【図５】
0003126046.tif 000007